(57)【要約】  本発明は、ガスタービン（１）、電気エネルギを発生させるためにガスタービン（１）により駆動される発電機（２）、および発電機（２）からの損失熱を排出するための水素冷却回路を備え、水素冷却回路は、水素タンク（４）から発電機（２）へと水素（Ｈ）を供給するための供給ライン（３）、および加熱された水素（Ｈ）を発電機（２）から排出するための排出ライン（５）を備え、排出ライン（５）は混合デバイス（７）に接続されており、排出ライン（５）からの加熱された水素（Ｈ）は、さらなる燃料（Ｅ）と混合されて、燃料供給ライン（６）を介してガスタービンに供給されることが可能な電力ステーションに関する。
2016537543.tif 000002
【特許請求の範囲】
【請求項１】
ガスタービン（１）、電気エネルギを発生させるために前記ガスタービン（１）により駆動される発電機（２）、および該発電機（２）からの損失熱を排出するための水素冷却回路を具備し、該水素冷却回路は、水素タンク（４）から前記発電機（２）へと水素（Ｈ）を供給するための供給ライン（３）、および加熱された水素（Ｈ）を前記発電機（２）から排出するための排出ライン（５）を備えた電力プラント（１）において、
前記排出ライン（５）は混合デバイス（７）に接続されており、前記排出ライン（５）からの前記加熱された水素（Ｈ）は、さらなる燃料（Ｅ）と混合されて、燃料供給ライン（６）を介して前記ガスタービンに供給されることが可能であることを特徴とする電力プラント。
【請求項２】
前記さらなる燃料（Ｅ）は、天然ガスであることを特徴とする請求項１に記載の電力プラント。
【請求項３】
前記加熱された燃料（Ｈ）を浄化するための分離デバイス（８）が、前記排出ライン（５）内に設けられていることを特徴とする請求項１または２に記載の電力プラント。
【請求項４】
前記混合デバイス（７）内に流入する前記加熱された水素（Ｈ）の圧力および／または流量を制御するための、前記排出ライン（５）内に配置された制御器材が設けられていることを特徴とする請求項１〜３のいずれか一項に記載の電力プラント。
【発明の詳細な説明】
【技術分野】
【０００１】
本発明は、請求項１の前段による、ガスタービンおよび電力を発生するためにガスタービンにより駆動される水素冷却発電機を備えた電力プラントに関する。
【背景技術】
【０００２】
発電機内の損失熱を、冷却ガスを用いて排出することは、長い間一般的に知られている。ここでは、空気が冷却ガスとして当初は供給されていた。しかしながら、空冷発電機は、最大３００ＭＶＡ以下の低出力のみを目的とされており、それは、空気により達成されることが可能な冷却効果が、必然的に限定され、したがって、より高出力においては、必要な冷却が空気により保証され得ないためである。
【０００３】
水素ガスは、達成される冷却効果が空気と比較してより大きく、その上に、その効果は、加圧下で水素ガスを導入し且つ正圧下で冷却を実行する実行することによりさらに増大されることが可能であり、より高出力の発電機のための冷媒として優先的に使用される。水素は、空気よりも大きい熱容量およびより大きい熱伝導率を有し、発電機の筐体を水素で充満させることで、熱は、空気により可能であるよりも良好に発電機から消費されることが可能である。しかしながら、水素ガスによる冷却は、追加のわずかとはいえない取り組みを必要とし、それはコストに反映され、取得および後に操作の両方にも反映される。特許文献１は、そのような水素冷却発電機を開示しており、そこでは、水素は閉回路内において発電機を通じて流れている。
【０００４】
ガスタービンは、広範囲の燃料または燃料混合物により作動されることが可能である。近年の開発は、例えば再生可能エネルギ源からのような電気エネルギの供給過剰の増大により、この間欠的な供給過剰がますます水素の生成のために使用され、この水素は、例えば天然ガスと混合された後に、さらなる燃焼ガスとともに、ガスタービンの燃焼により電気エネルギに逆変換される方向に向けられている。
【先行技術文献】
【特許文献】
【０００５】
【特許文献１】欧州特許出願公開第１  ５８０  ８６８号明細書
【発明の概要】
【発明が解決しようとする課題】
【０００６】
したがって、本発明の目的は、そのようなガスタービンおよび電気エネルギを発生させるためにガスタービンにより駆動される水素冷却発電機を具備した発電プラントを改良して、発電プラントの最適化された動作を可能とすることである。
【課題を解決するための手段】
【０００７】
この目的は、請求項１の特徴を備えた発電プラントにより達成される。
【０００８】
発電機の冷却のために使用される水素は、発電機の損失熱の吸収により加熱され、混合ステーションにおいて、水素はさらなる燃料（好適に天然ガス）と混合されて、混合ステーションを介して、水素がより効率的に使用され得る燃焼手段のためのガスタービンに供給される。一方では、水素を再冷却するための水素冷却回路において必要な冷却器はもはや必要なく、このことはコストの抑制を導いている。他方では、発電プラントの全体的な効率が改善されており、それは、水素冷却回路からの水素が、ガスタービンに供給されたときに、すでに予備加熱されており、発電プラント内における燃料消費も減少されているためである。したがって、全体的に発電プラントの動作が、最適化されることが可能である。
【０００９】
分離デバイスは、排出ライン内に追加的に配置され、水素のみが通過するように形成されており、非常に高純度の燃料が、ガスタービンに供給されることが可能である。
【００１０】
本発明は、以下の図に基づいて、例示によりここに説明されている。
【図面の簡単な説明】
【００１１】
【図１】冷却発電機に関する先行技術から知られた閉水素冷却回路を概略的に示した図である。
【図２】本発明による、発電機およびガスタービンの発電プラントの配列を概略的に示した図である。
【発明を実施するための形態】
【００１２】
図１において、水素冷却発電機２が、概略的に示されている。発電機２の一方の端面には、供給ライン３が配置されている。他方の端面には、排出ライン５が配置されている。水素冷却発電機２は、筐体を備えている。筐体内にはステータおよびロータが配置され、それらはそれ以上詳細には示されていない。水素Ｈは、水素タンク内に貯蔵されている。水素Ｈは、水素冷却発電機２の冷媒として使用され、水素Ｈは、水素タンクから供給ライン３を介して発電機２へと流れ、そこで生じる発電機の損失熱を吸収する。続いて、加熱された水素Ｈは、排出ライン５および冷却器を介して水素タンクへと戻る。冷却器は、より詳細には示されておらず、発電機内で加熱された水素Ｈを冷却するためのものである。結果的に、漏れ等に起因した通常の損失が無視できる場合、水素Ｈは主として閉回路を通過する。
【００１３】
次に図２において、ガスタービン１、電気エネルギを発生させるためにガスタービン１により駆動される発電機２、および発電機２からの損失熱を排出するための水素冷却回路を具備した、本発明による手段が概略的に示されている。実際に、排出ライン５は、ここでは混合デバイス７に接続されており、そこで、排出ライン５からの加熱された水素Ｈは、さらに燃料Ｅと混合され、この混合物は、供給ライン６を介してガスタービン１に供給される。このことは、加熱された水素は、水素が含んでいる作動力とともに、もはや冷却器において冷却されることが無いことを意味している。したがって、結果として生じた損失熱は、排出されるのではなく、予備加熱された燃焼ガスとしてガスタービンに供給されることが可能である。これは、開放水素冷却回路を形成しており、すなわち、新規の水素Ｈが発電機２に定常的に供給されなければならないが、他方では、より少ない燃料がガスタービン側に供給されるだけでよく、消費量のそのようなバランスは、実質的には同一である。しかしながら、ガスタービン１に供給される水素は予備加熱されているので、より良好な効率が、同量の燃料におけるよりもガスタービン１に関して達成されることが可能であり、結果的に発電プラントの全体的な効率を改善している。このことは、発電機２において加熱された水素を浄化するための分離デバイス８が、排出ライン５に設けられている場合に、さらに改善されることが可能である。排出ライン５内に配置された（しかし図２には示されていない）、圧力および／または流量を制御するための追加の制御器材は、この方法において、ガスタービン内の燃焼を最適化する、例えば天然ガスのようなさらなる燃料の混合比を達成するために、混合デバイス７内に流れ込み且つ発電機において加熱された水素の質量流量を設定している。全体的に、燃焼可能材料、すなわち燃料と、発電プラントの作動のために必要な冷却材と、のバランスの観点、および全体効率の観点の両方から、本発明により、発電プラントの最適化された動作が可能である。
【符号の説明】
【００１４】
１  ・・・ガスタービン
２  ・・・発電機
３  ・・・供給ライン
５  ・・・排出ライン
６  ・・・供給ライン
７  ・・・混合デバイス
８  ・・・分離デバイス
Ｅ  ・・・燃料
Ｈ  ・・・水素
【図１】
2016537543.tif 000003
【図２】
2016537543.tif 000004
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
ガスタービン（１）、電気エネルギを発生させるために前記ガスタービン（１）により駆動される発電機（２）、および該発電機（２）からの損失熱を排出するための水素冷却回路を具備し、該水素冷却回路は、水素タンク（４）から前記発電機（２）へと水素（Ｈ）を供給するための供給ライン（３）、および加熱された水素（Ｈ）を前記発電機（２）から排出するための排出ライン（５）を備えた電力プラント（１）において、
前記排出ライン（５）はこのようにして混合デバイス（７）に接続されており、前記排出ライン（５）からの前記加熱された水素（Ｈ）は、さらなる燃料（Ｅ）と混合されて、当該混合物は、燃料供給ライン（６）を介して前記ガスタービンに供給されることを特徴とする電力プラント。
【請求項２】
前記さらなる燃料（Ｅ）は、天然ガスであることを特徴とする請求項１に記載の電力プラント。
【請求項３】
前記加熱された燃料（Ｈ）を浄化するための分離デバイス（８）が、前記排出ライン（５）内に設けられていることを特徴とする請求項１または２に記載の電力プラント。
【請求項４】
前記混合デバイス（７）内に流入する前記加熱された水素（Ｈ）の圧力および／または流量を制御するための、前記排出ライン（５）内に配置された制御器材が設けられていることを特徴とする請求項１〜３のいずれか一項に記載の電力プラント。
【国際調査報告】
2016537543.tif 000005
2016537543.tif 000006
2016537543.tif 000007
2016537543.tif 000008